(57)【要約】【課題】筐体と組み合わされた発音体においてレシーバーあるいはスピーカーの発生する音響が漏れて相手振動板を駆動することがないような発音体の構造および発音体と筐体との組み合わせた簡易な構造を提供すること。【解決手段】情報機器の筐体の内部に収容され、スピーカーおよびレシーバーを一体のフレーム内に組み込んだ発音体において、レシーバーの後気室と前記スピーカーの後気室とを、前記筐体内を仕切ることによって相互に分離する隔壁を前記発音体のフレームの一部に設けたこと。またスピーカーの後気室とレシーバーの後気室は、その一方は前記筐体の外部に開放され、他方は前記情報機器の筐体の内部に開放されていること。またレシーバーの後気室が前記情報機器の筐体の外部に開放されていること。【選択図】　　　図１
2004129170.tif 000002
【特許請求の範囲】
【請求項１】
情報機器の筐体の内部に収容され、スピーカーおよびレシーバーを一体のフレーム内に組み込んだ発音体において、前記レシーバーの後気室と前記スピーカーの後気室とを、前記筐体内を仕切ることによって相互に分離する隔壁を前記発音体のフレームの一部に設けたことを特徴とする発音体の構造。
【請求項２】
前記スピーカーの後気室と前記レシーバーの後気室は、その一方は前記筐体の外部に開放され、他方は前記情報機器の筐体の内部に開放されていることを特徴とする請求項１の発音体の構造。
【請求項３】
前記レシーバーの後気室が前記情報機器の筐体の外部に開放されていることを特徴とする請求項２の発音体の構造。
【請求項４】
前記レシーバーの後気室は、前記筐体の前記スピーカーの放音孔のある表面と同じ表面において前記筐体の外部に対して開放されていることを特徴とする請求項３の発音体の構造。
【請求項５】
前記レシーバーの後気室は、前記筐体の前記スピーカーの放音孔のある表面と異なる表面において前記筐体の外部に対して開放されていることを特徴とする請求項３の発音体の構造。
【発明の詳細な説明】
【０００１】
【発明の属する技術分野】
本発明は音響変換器として、耳に密着させて聞くレシーバーと、耳から離して聞くスピーカーとを一体的に備え、電子機器の筐体内に組み込まれて作動する発音体の構造に関する。
【０００２】
【従来の技術】
図６は発音体を情報機器の筐体に組み込んだ従来例の構造の要部断面図である。発音体にはレシーバー用の（発音音量の比較的小さい）電気−音響変換機構と、スピーカー用の（発音音量の比較的大きい）電気−音響変換機構とが一体的に組み込まれており、おおまかには平たい円形または楕円形の外形をなす。両変換器には同種の部品が多いので、図面に示した部品を表す符号として、同種の部品であることを示す共通の番号に、レシーバーの場合には語尾Ｒを、スピーカーの場合には語尾Ｓを付すことにする。また７は発音体が収容される例えば携帯電話機等の電子情報機器の筐体で、ほぼ箱型をしている。
【０００３】
１は発音体のフレームであり合成樹脂等より成り、発音体の各部品が支持・固定される。２Ｒはレシーバー用の変換器を構成する円筒形の永久磁石、２Ｓはスピーカー用のリング形の永久磁石である。３はレシーバーとスピーカーに共通する磁束を通すヨーク、３Ｒはレシーバー用のヨーク（トッププレートとも称する）、３Ｓはスピーカー用のヨークである。４Ｒはレシーバー用の振動板、４Ｓはスピーカー用のやや大型の振動板、５Ｒはレシーバー用のコイル、５Ｓはスピーカー用のコイルで、それぞれの振動板の固着され、それを駆動するために磁気回路のリング状の空隙内に挿入された円筒形のコイルである。
【０００４】
６Ｒはレシーバー用のプロテクター、６Ｓはスピーカー用のプロテクターであり、皿状の金属の薄板で、それぞれ数個の放音孔１０Ｒ、１０Ｓを有し、またフレーム１の上下面に形成された段付きのリング状の凹部１Ｒ、１Ｓ内に各振動板１Ｒ、１Ｓと共に挿入され、各振動板の周辺部をフレーム１に押圧固定する。
以上説明した発音体は電子機器の筐体７内に他の部品（図示省略）と共に組み込まれる。筐体７の上下の内側表面と発音体上下面のプロテクター６Ｒ、６Ｓとの隙間は、各放音孔１０Ｒ、１０Ｓの外側に位置するリング状のクッション性のあるスペーサー８を仲介させて埋められる。
【０００５】
各振動板４Ｒ、４Ｓの前面（外側表面）から発する音響（音圧波）は各放音孔１０Ｒ、１０Ｓを経て筐体７の上下に設けた放音孔１０Ｃから、矢印１１および１２で示すように筐体７の外部に放出される。各振動板４Ｒ、４Ｓの背後と磁気回路との比較的狭い空間は後気室９Ｒ、９Ｓと称される。振動板の前方に発生する音と後気室から生ずる音との混合は避けられる。気密性を高めて両者の遮断を完全にする役割はスペーサー８が担っている。
【０００６】
また振動板の自由な振動を許し音量や音質等の音響特性を良好にするため、空気流は各後気室内に閉じ込められず、発音体の外部に開放される。すなわち、レシーバー側の後気室９Ｒは音圧気流の竜路を示す矢印１３、１４で示すようにリング状の凹部１Ｒに部分的に設けた切欠部２２により、またスピーカー側の後気室９Ｓは矢印１６、１７で示すようにフレーム１に設けた通気路２１Ｓによって、それぞれ発音体の外部である筐体７の内部空間に連絡している。
【０００７】
【発明が解決しようとする課題】
このように従来例では、後気室９Ｒ、９Ｓが同じ筐体７の内部空間に開放されている。そのため各後気室９Ｒ、９Ｓの一方からの音圧気流の一部が、矢印１５あるいは１８で示すように切欠部２２または通気路２１Ｓを通じて他方の後気室に流入する。そこでスピーカーの振動板４Ｓが駆動されると、その音による空気圧の変化がレシーバーの振動板４Ｒを振動させ、レシーバーからも音が出る。レシーバーから大きな音が漏れると、電話の使用者の耳を傷める恐れがある（イヤープロテクト問題）。また逆にレシーバーから電話の会話音などがスピーカーから部外者に聞こえてしまう不都合が生じることもある（漏話問題）。
【０００８】
本発明の目的は、筐体と組み合わされた発音体においてレシーバーあるいはスピーカーの発生する音響が漏れて相手振動板を駆動することがないような発音体の構造および筐体との組み合わせた構造を提供することである。
【０００９】
【課題を解決するための手段】
上記目的を達成するため本発明の発音体の構造は次の特徴を備える。
（１）情報機器の筐体の内部に収容され、スピーカーおよびレシーバーを一体のフレーム内に組み込んだ発音体において、前記レシーバーの後気室と前記スピーカーの後気室とを、前記筐体内を仕切ることによって相互に分離する隔壁を前記発音体のフレームの一部に設けたこと。
【００１０】
本発明の発音体の構造は更に以下の特徴の少なくとも一つを備えることがある。
（２）前記スピーカーの後気室と前記レシーバーの後気室は、その一方は前記筐体の外部に開放され、他方は前記情報機器の筐体の内部に開放されていること。
【００１１】
（３）前記レシーバーの後気室が前記情報機器の筐体の外部に開放されていること。
（４）前記レシーバーの後気室は、前記筐体の前記スピーカーの放音孔のある表面と同じ表面において前記筐体の外部に対して開放されていること。
（５）前記レシーバーの後気室は、前記筐体の前記スピーカーの放音孔のある表面と異なる表面において前記筐体の外部に対して開放されていること。
【００１２】
【発明の実施の形態】
図１は発音体を情報機器の筐体に組み込んだ本発明の第１の実施の形態の構造の要部断面図である。但しこの図は作用を説明するための概念的なものである。また本図は図６に示す従来構造と共通する部分か多いので、図面の複雑化を避けて簡明にするため、図１においては本発明の作用に直接関係しない永久磁石、ヨーク、コイル、プロテクター等従来例との共通部分については符号の付与も重複する説明も省略することとした。
【００１３】
図１において、レシーバーの後気室９Ｒから発生する音圧気流（矢印１３で示す）は切欠部２１に相対した隔壁２０（およびその上下に付加されたスペーサー）の存在によって筐体７内空間に直接放出されず、切欠部２１を出た後矢印１４で示すように筐体７に新たに設けた専用の放音孔１０ＣＲを経由して筐体７の外部に開放される。
【００１４】
一方スピーカーの後気室９Ｓから発生する音圧気流は通気路２１Ｓを経由して矢印１６、１７で示すように従来例と同様に筐体７内空間に放出されるが、通気路２１Ｓに対した側には切欠部２２が存在せず、レシーバーの後気室９Ｒとは連絡通路がない。従って各後気室９Ｒ、９Ｓの一方から発生する音圧気流が他の後気室に筐体内で流入するという事態は避けられる。なお振動板の振動が筐体外からの音によって悪影響を受けることは実質的にないとされている。また各後気室の気流の分離性を高める役割は、隔壁２０の上下に付加したスペーサー８が担っている。
【００１５】
図２、図３、図４は上述の第１の実施の形態を実現するための発音体のみの実際の形態の一例を示し、それぞれ平面図、そのＡ−Ａ断面図、および下面図である。図２の断面図は概念的な図面である図１の断面図と細部に寸法形状の違いはあるが基本的構造は同じであり、やはり図６の従来例と共通する部分については符号を付すのみとし重複する説明は避けた。
【００１６】
本例においては発音体の平面形状の概形は楕円形で、レシーバーの振動板４Ｒはほぼ楕円の短径を直径とする円形、スピーカーの振動板４Ｓの形状は楕円の外形に近い大型である。凹部１Ｒには切欠部１Ｒを１か所のみに設け、その切欠部１Ｒを囲むように、発音体の総厚さと等しい高さを持つ隔壁２０をフレーム１の一部として一体に成形してある。隔壁２０に囲まれた内部は通気路２１Ｒとなり、後気室９Ｒからの気流は矢印１３のように下方に導かれる。（後気室９Ｓとは連絡なく、最終的には筐体７の放音孔１０ＣＲに達して外部に開放される。）スピーカーの後気室９Ｓからの気流はフレーム１の異形穴の通気路２１Ｓ（平面図図２のみに図示されている）から放出される。
【００１７】
なお図２および図４に粗いハッチングを施して示した２３は金属の電極板で、フレーム１にモールド成型されたものである。また細かい縦のハッチングを施して示した２４Ｒ、２４Ｓはそれぞれ凹部１Ｒ、１Ｓより一段低くフレーム１に彫り込まれた溝部であって、その底にコイル５Ｒおよび５Ｓの端末線を這わせて導き、各電極板２３と接続するために設けたものである。
【００１８】
次に本発明の他の実施の形態について述べる。図５は発音体を情報機器の筐体に組み込んだ本発明の第２の実施の形態の構造の要部断面図で、図１同様概念的なものである。本例においては隔壁２０を発音体の上下面に平行になるようにフレーム１に一体的に設け、通気路の気流を矢印１３のように水平に導き、筐体７の側方に開いた放音孔１０ＣＲより外部に開放するようにした。本構造も筐体の形状構造上の諸制約との関連で、本発明の設計上の自由度を増す手段として意味がある。
【００１９】
本発明の実施の形態は以上に述べたもののみに限られない。例えばレシーバーの後気室を筐体の外部に開放せず、筐体の内部に所定の容積の空間を隔離して設け、その内部に開放してもよい。またスピーカーの後気室を筐体の外部に開放する場合もあり得る。その他発音体の基本構造や隔壁・通気路の形状構造、筐体内の音響的な仕切り方法やそのための部材の選択、その他細部の構成等種々の変形があり得ることはもちろんである。
【００２０】
【発明の効果】
本発明においては隔壁をフレームと一体的に設けたことにより、極めて簡素かつ低コストで実施可能な構造でイヤープロテクトや漏話の問題を解決できた。また各後気室の分離構造を電子情報機器の部品である発音体側で構築できるので、筐体側の設計的負担もなく容易かつ簡潔に目的を達成できた。また一方の後気室を筐体内に、他方を筐体外に開放することにより後気室の分離を確実にすることができた。
【図面の簡単な説明】
【図１】発音体を情報機器の筐体に組み込んだ本発明の第１の実施の形態の構造の要部断面図である。
【図２】本発明の発音体の実施の形態の一例の平面図である。
【図３】本発明の発音体の実施の形態の一例の断面図である。
【図４】本発明の発音体の実施の形態の一例の下面図である。
【図５】発音体を情報機器の筐体に組み込んだ本発明の第２の実施の形態の構造の要部断面図である。
【図６】発音体を情報機器の筐体に組み込んだ従来例の構造の要部断面図である。
【符号の説明】
１　フレーム
１Ｒ、１Ｓ　凹部
２Ｒ、２Ｓ　永久磁石
３、３Ｒ、３Ｓ　ヨーク
４Ｒ、４Ｓ　振動板
５Ｒ、５Ｓ　コイル
６Ｒ、６Ｓ　プロテクター
７　筐体
８　スペーサー
９Ｒ、９Ｓ　後気室
１０Ｒ、１０Ｓ、１０Ｃ、１０ＣＲ　放音孔
１１、１２、１３、１４、１５、１６、１７、１８　矢印
２０　隔壁
２１Ｒ、２１Ｓ　通気路
２２　切欠部
２３　電極板
２４Ｒ、２４Ｓ　溝部
【図１】
2004129170.tif 000003
【図２】
2004129170.tif 000004
【図３】
2004129170.tif 000005
【図４】
2004129170.tif 000006
【図５】
2004129170.tif 000007
【図６】
2004129170.tif 000008